【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
記録媒体に医用画像を記録する医用画像記録装置において、
前記記録媒体を露光走査して画像を記録する画像記録手段と、
異なる複数のシェーディング補正パラメータに基づく補正量により補正された複数領域のベタ画像と、前記シェーディング補正パラメータを表す識別符号とをテストパターンとして前記画像記録手段に前記記録媒体へ画像記録させるテストパターン記録制御手段と、
前記テストパターン記録制御手段により画像記録されたベタ画像の主走査方向の濃度を測定した結果に基づいて決定された、前記主走査方向のベタ画像の濃度の差が最も小さくなるシェーディング補正パラメータを選択入力する入力手段と、
前記入力手段により入力されたシェーディング補正パラメータに基づいて、シェーディング補正するためのシェーディング補正テーブルを作成するシェーディング補正テーブル作成手段と、
前記シェーディング補正テーブル作成手段により作成されたシェーディング補正テーブルを用いて医用画像にシェーディング補正を施して前記画像記録手段に記録媒体へ画像記録させる医用画像記録制御手段と、
を備えることを特徴とする医用画像記録装置。
【請求項２】
前記テストパターン記録制御手段は、前記画像記録手段に、前記濃度を測定すべき領域を示すための目印を前記記録媒体へ記録させることを特徴とする請求項１に記載の医用画像記録装置。
【請求項３】
前記主走査方向のベタ画像の数は、奇数であることを特徴とする請求項１又は２に記載の医用画像記録装置。
【請求項４】
前記シェーディング補正テーブル作成手段は、前記シェーディング補正パラメータに基づいて、主走査方向に複数の画素ごとの位置を示すサブアドレスに対応する仮のシェーディング補正テーブルを作成し、当該仮のシェーディング補正テーブルのサブアドレスを補間してシェーディング補正テーブルを作成することを特徴とする請求項１から３のいずれか一項に記載の医用画像記録装置。
【請求項５】
記録媒体に医用画像を記録する医用画像記録方法において、
異なる複数のシェーディング補正パラメータに基づく補正量により補正された、記録媒体の複数領域のベタ画像と、前記シェーディング補正パラメータを表す識別符号とをテストパターンとして前記記録媒体へ画像記録する工程と、
前記画像記録されたベタ画像の主走査方向の濃度を測定した結果に基づいて決定された、前記主走査方向のベタ画像の濃度の差が最も小さくなるシェーディング補正パラメータを選択入力する工程と、
前記入力されたシェーディング補正パラメータに基づいて、シェーディング補正するためのシェーディング補正テーブルを作成する工程と、
前記作成されたシェーディング補正テーブルを用いて医用画像にシェーディング補正を施して記録媒体へ画像記録する工程と、
を含むことを特徴とする医用画像記録方法。
【請求項６】
前記テストパターンを記録する工程において、前記濃度を測定すべき領域を示すための目印を前記記録媒体へ記録することを特徴とする請求項５に記載の医用画像記録方法。
【請求項７】
前記主走査方向のベタ画像の数は、奇数であることを特徴とする請求項５又は６に記載の医用画像記録方法。
【請求項８】
前記シェーディング補正テーブルの作成工程において、前記シェーディング補正パラメータに基づいて、主走査方向に複数の画素ごとの位置を示すサブアドレスに対応する仮のシェーディング補正テーブルを作成し、当該仮のシェーディング補正テーブルのサブアドレスを補間してシェーディング補正テーブルを作成することを特徴とする請求項５から７のいずれか一項に記載の医用画像記録方法。
【手続補正２】
【補正対象書類名】明細書
【補正対象項目名】００１６
【補正方法】変更
【補正の内容】
【００１６】
請求項５に記載の発明は、記録媒体に医用画像を記録する医用画像記録方法において、
異なる複数のシェーディング補正パラメータに基づく補正量により補正された、記録媒体の複数領域のベタ画像と、前記シェーディング補正パラメータを表す識別符号とをテストパターンとして前記記録媒体へ画像記録する工程と、
前記画像記録されたベタ画像の主走査方向の濃度を測定した結果に基づいて決定された、前記主走査方向のベタ画像の濃度の差が最も小さくなるシェーディング補正パラメータを選択入力する工程と、
前記入力されたシェーディング補正パラメータに基づいて、シェーディング補正するためのシェーディング補正テーブルを作成する工程と、
前記作成されたシェーディング補正テーブルを用いて医用画像にシェーディング補正を施して記録媒体へ画像記録する工程と、
を含むことを特徴とする。
【手続補正３】
【補正対象書類名】明細書
【補正対象項目名】００１７
【補正方法】変更
【補正の内容】
【００１７】
請求項１又は５に記載の発明によれば、ユーザがテストパターンを目視して容易に最適なシェーディング補正パラメータを選択入力でき、当該最適なシェーディング補正パラメータに基づいてシェーディング補正テーブルを自動的に作成及び記憶するので、ユーザの簡便な操作入力により作成される最適なシェーディング補正テーブルを用いて医用画像を高精度にシェーディング補正して記録媒体に画像記録することができる。
【手続補正４】
【補正対象書類名】明細書
【補正対象項目名】００１９
【補正方法】変更
【補正の内容】
【００１９】
請求項６に記載の発明は、請求項５に記載の医用画像記録方法において、
前記テストパターンを記録する工程において、前記濃度を測定すべき領域を示すための目印を前記記録媒体へ記録することを特徴とする。
【手続補正５】
【補正対象書類名】明細書
【補正対象項目名】００２０
【補正方法】変更
【補正の内容】
【００２０】
請求項２又は６に記載の発明によれば、記録媒体に濃度を測定すべき領域を示す目印が記録されるので、目印に基づいて最適な領域の補正パラメータをユーザが容易に選択でき、最適な補正パラメータの選択入力により、シェーディング補正の補正精度をより向上することができる。
【手続補正６】
【補正対象書類名】明細書
【補正対象項目名】００２２
【補正方法】変更
【補正の内容】
【００２２】
請求項７に記載の発明は、請求項５又は６に記載の医用画像記録方法において、
前記主走査方向のベタ画像の数は、奇数であることを特徴とする。
【手続補正７】
【補正対象書類名】明細書
【補正対象項目名】００２３
【補正方法】変更
【補正の内容】
【００２３】
請求項３又は７に記載の発明によれば、テストパターンが主走査方向に奇数のベタ画像を含むので、補正量の最も少ない中央領域を基準として、ユーザがより容易且つ高精度に最適な補正パラメータを選択できる。
【手続補正８】
【補正対象書類名】明細書
【補正対象項目名】００２５
【補正方法】変更
【補正の内容】
【００２５】
請求項８に記載の発明は、請求項５から７のいずれか一項に記載の医用画像記録方法において、
前記シェーディング補正テーブルの作成工程において、前記シェーディング補正パラメータに基づいて、主走査方向に複数の画素ごとの位置を示すサブアドレスに対応する仮のシェーディング補正テーブルを作成し、当該仮のシェーディング補正テーブルのサブアドレスを補間してシェーディング補正テーブルを作成することを特徴とする。
【手続補正９】
【補正対象書類名】明細書
【補正対象項目名】００２６
【補正方法】変更
【補正の内容】
【００２６】
請求項４又は８に記載の発明によれば、先ず、主走査方向の所定画素数ごとのサブアドレスに対応するシェーディング補正テーブルを作成し、サブアドレスに対応するシェーディング補正テーブルを補間してシェーディング補正テーブルを作成するので、サブアドレスの周期性を利用してシェーディング補正テーブルの作成を高速に行うことができる。
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】変更
【補正の内容】
【００３３】
請求項１又は５に記載の発明によれば、ユーザがテストパターンを目視して容易に最適なシェーディング補正パラメータを選択入力でき、当該最適なシェーディング補正パラメータに基づいてシェーディング補正テーブルを自動的に作成及び記憶するので、ユーザの簡便な操作入力により作成される最適なシェーディング補正テーブルを用いて医用画像を高精度にシェーディング補正して記録媒体に画像記録することができる。
【手続補正１７】
【補正対象書類名】明細書
【補正対象項目名】００３４
【補正方法】変更
【補正の内容】
【００３４】
請求項２又は６に記載の発明によれば、記録媒体に濃度を測定すべき領域を示す目印が記録されるので、目印に基づいて最適な領域の補正パラメータをユーザが容易に選択でき、最適な補正パラメータの選択入力により、シェーディング補正の補正精度をより向上することができる。
【手続補正１８】
【補正対象書類名】明細書
【補正対象項目名】００３５
【補正方法】変更
【補正の内容】
【００３５】
請求項３又は７に記載の発明によれば、テストパターンが主走査方向に奇数のベタ画像を含むので、補正量の最も少ない中央領域を基準として、ユーザがより容易且つ高精度に最適な補正パラメータを選択できる。
【手続補正１９】
【補正対象書類名】明細書
【補正対象項目名】００３６
【補正方法】変更
【補正の内容】
【００３６】
請求項４又は８に記載の発明によれば、先ず、主走査方向の所定画素数ごとのサブアドレスに対応するシェーディング補正テーブルを作成し、サブアドレスに対応するシェーディング補正テーブルを補間してシェーディング補正テーブルを作成するので、サブアドレスの周期性を利用してシェーディング補正テーブルの作成を高速に行うことができる。
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】